(57)【要約】【課題】物品を包装した状態から容易に物品を取り出すことができると共に、物品の損傷を抑制することができる包装材を提供することを課題とする。【解決手段】多面体状の物品を包装可能なシート状の形状を有し、物品の一の面と重なる第一切断領域に切り込み状に形成された第一切込線を備え、該第一切込線の少なくとも一端部を起点に分離予定線に沿って切断されることで、第一切込線と分離予定線とで囲まれた分離予定領域が他の領域から分離されるように構成された包装材であって、前記第一切込線又は分離予定線と接する位置から前記物品の一の面に隣接する他の面と重なる第二切断領域側に向かって分離予定領域の外側の領域に切り込み状に形成された第二切込線を更に備えることを特徴とする。【選択図】図２
2015202900.tif 000002
【特許請求の範囲】
【請求項１】
多面体状の物品を包装可能なシート状の形状を有し、物品の一の面と重なる第一切断領域に切り込み状に形成された第一切込線を備え、該第一切込線の少なくとも一端部を起点に分離予定線に沿って切断されることで、第一切込線と分離予定線とで囲まれた分離予定領域が他の領域から分離されるように構成された包装材であって、
前記第一切込線又は分離予定線と接する位置から前記物品の一の面に隣接する他の面と重なる第二切断領域側に向かって分離予定領域の外側の領域に切り込み状に形成された第二切込線を更に備えることを特徴とする包装材。
【請求項２】
前記第二切込線は、分離予定線と接するように形成されており、分離予定線における第二切込線と接する位置には、第一切込線と接することなく分離予定線上に切り込み状に形成された第三切込線を更に備えることを特徴とする請求項１に記載の包装材。
【発明の詳細な説明】
【技術分野】
【０００１】
本発明は、多面体状の物品を包装する包装材に関する。
【背景技術】
【０００２】
シート状の包装材を用いて多面体状の物品を包装した場合、包装材には、物品の各面に沿った領域が複数形成される。例えば、三角柱状の物品を包装した包装材においては、物品の三角形状の一対の面に沿った上面領域および下面領域と、該上面領域および下面領域間に形成された側面領域とが形成されることになる（特許文献１参照）。
【０００３】
そして、包装材によって物品が包装された状態から物品を取り出す際には、包装材の一部を切断して所定の領域を他の領域から分離させる。これにより、分離された領域に形成される開口部から物品を取り出すことが可能となる。例えば、上記のような包装材では、上面領域の外周部が切断されることで、上面領域が他の領域から分離され、上面領域が分離された位置に開口部が形成される。これにより、該開口部から物品を取り出すことが可能となっている。
【先行技術文献】
【特許文献】
【０００４】
【特許文献１】特開２０１４−１００２号公報
【発明の概要】
【発明が解決しようとする課題】
【０００５】
しかしながら、上記のような包装材では、多面体状の物品の一の面に対応した領域（具体的には、上面領域）のみが他の領域から分離されて開口部が形成されるため、該開口部からは物品の一の面のみが露出することになる。このため、物品を開口部から取り出す際に、物品を手で把持することが困難となり、開口部からの物品の取り出しを容易に行うことができない。また、物品の一の面以外の面が包装材と重なった状態であるため、物品を開口部から取り出す際に、物品と包装材とが接触し、物品の性状によっては（例えば、物品がケーキやチーズのような脆い食品である場合には）、物品が損傷する虞がある。
【０００６】
そこで、本発明は、物品を包装した状態から容易に物品を取り出すことができると共に、物品の損傷を抑制することができる包装材を提供することを課題とする。
【課題を解決するための手段】
【０００７】
本発明に係る包装材は、多面体状の物品を包装可能なシート状の形状を有し、物品の一の面と重なる第一切断領域に切り込み状に形成された第一切込線を備え、該第一切込線の少なくとも一端部を起点に分離予定線に沿って切断されることで、第一切込線と分離予定線とで囲まれた分離予定領域が他の領域から分離されるように構成された包装材であって、前記第一切込線又は分離予定線と接する位置から前記物品の一の面に隣接する他の面と重なる第二切断領域側に向かって分離予定領域の外側の領域に切り込み状に形成された第二切込線を更に備えることを特徴とする。
【０００８】
斯かる構成によれば、本発明に係る包装材を用いて多面体状の物品が包装された状態で、第一切込線の少なくとも一端部を起点に包装材が切断されることで、分離予定領域が他の領域から分離される。これにより、包装材の第一切断領域には、分離予定領域が分離した部分に開口部が形成され、該開口部の内側から物品の一の面が露出した状態となる。
【０００９】
また、第一切込線又は分離予定線と接する第二切込線が分離予定領域の外側の領域に形成されることで、上述のように分離予定領域が他の領域から分離されて開口部が形成された際に、該開口部と第二切込線とが連続した状態となる。
【００１０】
そして、第二切込線における第二切断領域側の端部を起点に包装材が切断されることで第二切断領域が切断される。そして、第二切断領域が切断されることで、第二切断領域の少なくとも一部の領域が他の領域から分離されて物品の他の面が露出した状態となる。この際、第一切断領域における物品の一の面が露出する領域（即ち、開口部の内側の領域）と、第二切断領域における物品の他の面が露出する領域とが連続した状態となる。
【００１１】
これにより、物品の一の面と、該一の面に隣接する他の面とが露出した状態となるため、第一切断領域に形成される開口部の内側からのみ物品の一の面が露出する場合よりも、物品の露出面積が広くなる。このため、第一切断領域の開口部からのみ物品を取り出し可能である場合よりも、物品を容易に取り出すことができると共に、包装材と物品との接触部分が少なくなるため、物品を取り出す際に、包装材と物品とが接触して物品が破損してしまうのを抑制することができる。
【００１２】
前記第二切込線は、分離予定線と接するように形成されており、分離予定線における第二切込線と接する位置には、第一切込線と接することなく分離予定線上に切り込み状に形成された第三切込線を更に備えることが好ましい。
【００１３】
斯かる構成によれば、本発明に係る包装材を用いて多面体状の物品が包装された状態で、第一切込線の少なくとも一端部を起点に、第一切込線と第三切込線との間の領域を含む分離予定線上で包装材が切断されることで、分離予定領域が他の領域から分離される。これにより、包装材の第一切断領域には、分離予定領域が分離した部分に開口部が形成され、該開口部の内側から物品の一の面が露出した状態となる。
【００１４】
また、分離予定線上に形成された第三切込線と接する第二切込線が分離予定領域の外側の領域に形成されることで、上述のように分離予定領域が他の領域から分離されて開口部が形成された際に、該開口部と第二切込線とが連続した状態となる。
【００１５】
そして、第二切込線における第二切断領域側の端部を起点に包装材が切断されることで第二切断領域が切断される。そして、第二切断領域が切断されることで、第二切断領域の少なくとも一部の領域が他の領域から分離されて物品の他の面が露出した状態となる。この際、第一切断領域における物品の一の面が露出する領域（即ち、開口部の内側の領域）と、第二切断領域における物品の他の面が露出する領域とが連続した状態となる。
【００１６】
これにより、物品の一の面と、該一の面に隣接する他の面とが露出した状態となるため、第一切断領域に形成される開口部の内側からのみ物品が露出する場合よりも、物品の露出面積が広くなる。このため、第一切断領域の開口部からのみ物品を取り出し可能である場合よりも、物品を容易に取り出すことができると共に、包装材と物品との接触部分が少なくなるため、物品を取り出す際に、包装材と物品とが接触して物品が破損してしまうのを抑制することができる。
【発明の効果】
【００１７】
以上のように、本発明によれば、物品を包装した状態から容易に物品を取り出すことができると共に、物品の損傷を抑制することができる。
【図面の簡単な説明】
【００１８】
【図１】第一実施形態に係る包装材と、該包装材によって包装される物品を示した斜視図。
【図２】同実施形態に係る包装材における第一切込線の周辺を示した図。
【図３】同実施形態に係る包装材を用いて物品が包装されてなる包装体を示した斜視図。
【図４】同実施形態に係る包装材を用いて形成された包装体において、包装材の第一切断領域が切断されて開口部が形成された状態を示す斜視図。
【図５】同実施形態に係る包装材を用いて形成された包装体において、包装材の第一切断領域および第二切断領域が切断されて開口部が形成された状態を示す斜視図。
【図６】第二実施形態に係る包装材における第一切込線の周辺を示した図。
【図７】同実施形態に係る包装材を用いて物品が包装されてなる包装体を示した斜視図。
【図８】同実施形態に係る包装材を用いて形成された包装体において、包装材の第一切断領域が切断されて開口部が形成された状態を示す斜視図。
【図９】同実施形態に係る包装材を用いて形成された包装体において、包装材の第一切断領域および第二切断領域が切断されて開口部が形成された状態を示す斜視図。
【発明を実施するための形態】
【００１９】
＜第一実施形態＞
以下、本発明の第一実施形態について、図１〜５を参照しながら説明する。なお、以下の図面において同一または相当する部分には、同一の参照符号を付すこととし、その説明は繰り返さない。
【００２０】
本実施形態に係る包装材１は、図１に示すように、多面体状（本実施形態では、扁平な三角柱状）の物品Ｘを包装可能なシート状に形成される。そして、物品Ｘの各面に沿って包装材１が変形されることで物品Ｘが包装された状態となる。このため、包装材１は、物品Ｘの一の面Ｘ１と重なる領域（以下、第一切断領域とも記す）Ａ１と、物品Ｘの一の面Ｘ１に隣接する他の面Ｘ２と重なる領域（以下、第二切断領域とも記す）Ａ２とを備える。本実施形態では、第一切断領域Ａ１は、矩形状の領域となり、第二切断領域Ａ２は、三角形状の領域となるように構成される。
【００２１】
本実施形態では、包装材１は、図２に示すように、物品Ｘを包装可能な大きさに形成されて物品Ｘの各面に沿って変形可能な本体シート２と、包装材１（具体的には、本体シート２）の切断方向を制御するカットテープ３と、後述する第一切込線２ａおよび第二切込線２ｄを本体シート２の一方の面側から覆うカバーシート４とから構成される。
【００２２】
また、包装材１は、第一切断領域Ａ１に切り込み状に形成された第一切込線２ａを備える。該第一切込線２ａは、本体シート２を貫通するように形成される。また、第一切込線２ａは、第一切断領域Ａ１の一方向（具体的には、長手方向）に位置する一端部側に形成される。また、第一切込線２ａの両端部は、第一切込線２ａの両端部以外の部位よりも第一切断領域Ａ１の一方向（具体的には、長手方向）に位置する他端部側に形成される。本実施形態では、第一切込線２ａは、第一切断領域Ａ１の一方向（具体的には、長手方向）に沿って形成された一対の切込線第一部位２ｂ，２ｂを備え、該一対の切込線第一部位２ｂ，２ｂの各一端部が第一切込線２ａの両端部を構成する。また、第一切込線２ａは、一対の切込線第一部位２ｂ，２ｂの他端部同士と連結される切込線第二部位２ｃを備える。該切込線第二部位２ｃは、第一切断領域Ａ１の一方向（具体的には、長手方向）と交差（具体的には、略直交）するように形成される。つまり、本実施形態では、第一切込線２ａは、コの字状の形状を有する。
【００２３】
上記のような第一切込線２ａを備えることで、包装材１は、第一切込線２ａの両端部を起点に切断可能に構成される。具体的には、包装材１は、第一切込線２ａの両端部を起点に一対の分離予定線Ｌ１，Ｌ１に沿って（具体的には、第一切断領域Ａ１の長手方向の一端側から他端側に向かって）切断可能に構成される。一対の分離予定線Ｌ１，Ｌ１は、第一切込線２ａの両端部から第一切断領域Ａ１の一方向（具体的には、長手方向）に沿って伸びる一対の仮想線である。そして、包装材１は、第一切込線２ａの両端部を起点に一対の分離予定線Ｌ１，Ｌ１上で切断されることで、第一切込線２ａと一対の分離予定線Ｌ１，Ｌ１とで囲まれた領域（以下、分離予定領域）Ａ３が他の領域から分離可能に構成される。
【００２４】
また、包装材１は、分離予定領域Ａ３の外側の領域に切り込み状に形成された第二切込線２ｄを更に備える。該第二切込線２ｄは、第一切込線２ａ（具体的には、一方の切込線第一部位２ｂ）と接するように形成される。また、第二切込線２ｄは、第一切込線２ａ（具体的には、一方の切込線第一部位２ｂ）と接する位置から第二切断領域Ａ２側に向かって線状に形成される。本実施形態では、第二切込線２ｄは、第二切断領域Ａ２側の端部が第二切断領域Ａ２内に位置するように形成される。つまり、第二切込線２ｄは、第一切断領域Ａ１と第二切断領域Ａ２との境界線と交差するように形成される。また、第二切込線２ｄは、第一切断領域Ａ１の一方向（具体的には、長手方向）に対して交差（具体的には、略直交）するように形成される。言い換えれば、第二切込線２ｄは、第一切込線２ａの両端部を起点とする包装材１（本体シート２）の切断方向（一対の分離予定線Ｌ１，Ｌ１の伸びる方向）に対して交差（具体的には、略直交）するように形成される。
【００２５】
カットテープ３は、第一切込線２ａの両端部間（即ち、一対の分離予定線Ｌ１，Ｌ１間）に配置される。つまり、カットテープ３は、分離予定領域Ａ３の外周縁よりも内側に配置される。また、カットテープ３は、第一切断領域Ａ１の一方向（具体的には、長手方向）に沿って配置される。言い換えれば、カットテープ３は、包装材１の切断方向（一対の分離予定線Ｌ１，Ｌ１の伸びる方向）に沿って配置される。また、カットテープ３は、ヒートシール等を用いて本体シート２に貼り付けられる。
【００２６】
また、カバーシート４は、第一切込線２ａおよび第二切込線２ｄを本体シート２の一方の面側から覆うように本体シート２に貼り付けられる。具体的には、カバーシート４は、第一切込線２ａおよび第二切込線２ｄから離間した位置で、本体シート２にヒートシールされることで、本体シート２に貼り付けられる。
【００２７】
次に、上記のように形成される包装材１によって物品Ｘが包装された状態から物品Ｘを取り出す流れについて説明する。
【００２８】
包装材１を用いて物品Ｘを包装することで、図３に示すような包装体１Ｘが形成される。該包装体１Ｘでは、包装材１における第一切断領域Ａ１に対して第二切断領域Ａ２が交差する（具体的には、略直交する）ように配置される。そして、包装材１における第一切込線２ａで囲まれた領域によって、指で摘むことが可能な第一摘み片１ａが形成される。一方、第二切込線２ｄは、第一切断領域Ａ１に形成された部分と第二切断領域Ａ２に形成された部分とが交差する（具体的には、略直交する）ように構成される。
【００２９】
そして、第一摘み片１ａを摘んで、第一切断領域Ａ１の一方向（具体的には、長手方向）の一端側から他端側に向かって第一摘み片１ａを引っ張ることで、第一切込線２ａの両端部を起点に一対の分離予定線Ｌ１，Ｌ１上で包装材１が切断される。これにより、第一切込線２ａと一対の分離予定線Ｌ１，Ｌ１とで囲まれた分離予定領域Ａ３が他の領域から分離されて、図４に示すように、第一分離片１ｂが形成される。そして、第一分離片１ｂが形成されることで、包装材１（具体的には、第一切断領域Ａ１）における第一分離片１ｂが分離された領域に開口部１ｃが形成される。これにより、該開口部１ｃから物品Ｘ（具体的には、物品Ｘの一の面Ｘ１）が露出した状態となる。
【００３０】
上記のように開口部１ｃが形成されることで、第二切込線２ｄ（具体的には、第一切込線２ａと接する端部）は、開口部１ｃと連結される。これにより、包装材１における第二切込線２ｄを構成する一対の端部１ｄ，１ｄを摘むことが可能となる。つまり、開口部１ｃが形成されることで、包装材１における第二切込線２ｄを構成する一対の端部１ｄ，１ｄに一対の第二摘み片１ｄ，１ｄが形成される。
【００３１】
そして、一対の第二摘み片１ｄ，１ｄの少なくとも一方を第二切断領域Ａ２側に引っ張ることで、第二切込線２ｄにおける第二切断領域Ａ２側の端部を起点に第二切断領域Ａ２が切断される。これにより、第二切断領域Ａ２の一部の領域が他の領域から分離されて、図５に示すように、第二分離片１ｅが形成される。そして、第二切断領域Ａ２における第二分離片１ｅが分離された領域から物品Ｘ（具体的には、物品Ｘの他の面Ｘ２）が露出する。これにより、第一切断領域Ａ１における物品Ｘが露出した領域と、第二切断領域Ａ２における物品Ｘが露出した領域とが連結されて、第一切断領域Ａ１に形成される開口部１ｃよりも開口面積の広い開口部１ｆが形成される。これにより、斯かる開口部１ｆから物品Ｘを取り出すことが可能となる。
【００３２】
＜第二実施形態＞
次に、本発明の第二実施形態について、図６〜９を用いて説明する。第二実施形態に係る包装材１０は、第一実施形態に係る包装材１と比較すると、主に第三切込線２ｅを備える点で異なるものであり、それに伴って、第二切込線２ｄの構成も一部異なる点を有する。従って、以下では、第一実施形態と異なる点を中心に説明し、同一の構成に対しては同一の符号を付すこととして説明を省略する。
【００３３】
本実施形態に係る包装材１０は、図６に示すように、第一切断領域Ａ１における一対の分離予定線Ｌ１，Ｌ１上に切り込み状に形成された一対の第三切込線２ｅ，２ｅを備える。一対の第三切込線２ｅ，２ｅは、第一切込線２ａ（具体的には、第一切込線２ａの両端部）から離間した位置に形成される。そして、第二切込線２ｄは、第一切込線２ａではなく、一方の分離予定線Ｌ１と接するように形成される。具体的には、第二切込線２ｄは、一方の分離予定線Ｌ１上に形成された一方の第三切込線２ｅと接するように形成される。また、第二切込線２ｄは、一方の第三切込線２ｅと接する位置から第二切断領域Ａ２側に向かって線状に形成される。
【００３４】
カットテープ３は、第一切込線２ａの両端部間および一対の第三切込線２ｅ，２ｅ間（即ち、一対の分離予定線Ｌ１，Ｌ１間）に配置される。また、カバーシート４は、第一切込線２ａ、第二切込線２ｄ、および、一対の第三切込線２ｅ，２ｅを本体シート２の一方の面側から覆うように本体シート２に貼り付けられる。具体的には、カバーシート４は、第一切込線２ａ、第二切込線２ｄ、および、一対の第三切込線２ｅ，２ｅから離間した位置で、本体シート２にヒートシールされることで、本体シート２に貼り付けられる。
【００３５】
次に、上記のように形成される包装材１０を用いて物品Ｘを包装した状態から物品Ｘを取り出す流れについて説明する。包装材１０を用いて物品Ｘを包装することで、図７に示すような包装体１０Ｘが形成される。そして、第一摘み片１ａを摘んで、第一切断領域Ａ１の一方向（具体的には、長手方向）の一端側から他端側に向かって第一摘み片１ａを引っ張ることで、第一切込線２ａの両端部を起点に該両端部と一対の第三切込線２ｅ，２ｅとの間の領域を含む一対の分離予定線Ｌ１，Ｌ１上で包装材１が切断される。これにより、第一切込線２ａと一対の分離予定線Ｌ１，Ｌ１とで囲まれた分離予定領域Ａ３が他の領域から分離されて、図８に示すように、第一分離片１ｂが形成される。そして、第一分離片１ｂが形成されることで、包装材１（具体的には、第一切断領域Ａ１）における第一分離片１ｂが分離された領域に開口部１ｃが形成される。これにより、該開口部１ｃから物品Ｘ（具体的には、物品Ｘの一の面Ｘ１）が露出した状態となる。
【００３６】
上記のように開口部１ｃが形成されることで、第二切込線２ｄ（具体的には、一方の第三切込線２ｅと接する端部）は、開口部１ｃと連結される。これにより、一対の第二摘み片１ｄ，１ｄが形成される。そして、一対の第二摘み片１ｄ，１ｄの少なくとも一方を第二切断領域Ａ２側に引っ張ることで、図９に示すように、第二切込線２ｄにおける第二切断領域Ａ２側の端部を起点に第二切断領域Ａ２が切断される。これにより、第二切断領域Ａ２の一部の領域が他の領域から分離されて第二分離片１ｅが形成される。そして、第二切断領域Ａ２における第二分離片１ｅが分離された領域から物品Ｘ（具体的には、物品Ｘの他の面Ｘ２）が露出する。これにより、第一切断領域Ａ１における物品Ｘが露出した領域と、第二切断領域Ａ２における物品Ｘが露出した領域とが連結されて、第一切断領域Ａ１に形成される開口部１ｃよりも開口面積の広い開口部１ｆが形成される。これにより、斯かる開口部１ｆから物品Ｘを取り出すことが可能となる。
【００３７】
以上のように、本発明に係る包装材によれば、物品を包装した状態から容易に物品を取り出すことができると共に、物品の損傷を抑制することができる。
【００３８】
即ち、前記包装材１，１０は、包装体１Ｘ，１０Ｘが形成された状態で、第一切込線２ａの少なくとも一端部を起点に包装材１，１０が切断されることで、分離予定領域Ａ３が他の領域から分離される。これにより、包装材１，１０の第一切断領域Ａ１には、分離予定領域Ａ３が分離した部分に開口部１ｃが形成され、該開口部１ｃの内側から物品Ｘの一の面Ｘ１が露出した状態となる。
【００３９】
また、第一切込線２ａ又は第三切込線２ｅと接する第二切込線２ｄが分離予定領域Ａ３の外側の領域に形成されることで、上述のように分離予定領域Ａ３が他の領域から分離されて開口部１ｃが形成された際に、該開口部１ｃと第二切込線２ｄとが連続した状態となる。
そして、第二切込線２ｄにおける第二切断領域Ａ２側の端部を起点に包装材１，１０が切断されることで第二切断領域Ａ２が切断される。そして、第二切断領域Ａ２が切断されることで、第二切断領域Ａ２の少なくとも一部の領域が他の領域から分離されて物品の他の面Ｘ２が露出した状態となる。この際、第一切断領域Ａ１における物品Ｘの一の面Ｘ１が露出する領域（即ち、開口部の内側の領域）と、第二切断領域Ａ２における物品Ｘの他の面Ｘ２が露出する領域とが連続した状態となる。
これにより、物品Ｘの一の面Ｘ１と、該一の面Ｘ１に隣接する他の面Ｘ２とが露出した状態となるため、第一切断領域Ａ１に形成される開口部１ｃの内側からのみ物品Ｘの一の面Ｘ１が露出する場合よりも、物品Ｘの露出面積が広くなる。このため、第一切断領域Ａ１の開口部１ｃからのみ物品Ｘを取り出し可能である場合よりも、物品Ｘを容易に取り出すことができると共に、包装材１，１０と物品Ｘとの接触部分が少なくなるため、物品Ｘを取り出す際に、包装材１，１０と物品Ｘとが接触して物品Ｘが破損してしまうのを抑制することができる。
【００４０】
なお、本発明に係る包装材は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４１】
例えば、上記実施形態では、第二切込線２ｄは、第一切込線２ａ又は第三切込線２ｅと接するように形成されているが、これに限定されるものではなく、例えば、分離予定線Ｌ１上における切り込みが形成されていない位置と接する（交差する）ように構成されてもよい。斯かる場合には、分離予定線Ｌ１上で包装材が切断されて開口部１ｃが形成されることで、第二切込線２ｄと開口部１ｃとが連結された状態にすることができる。
【００４２】
また、上記実施形態では、第一切込線２ａがコの字状に形成されているが、これに限定されるものではなく、例えば、Ｕ字状、直線状、波形状に形成されてもよい。
【００４３】
また、上記実施形態では、一対の分離予定線Ｌ１，Ｌ１上で包装材１，１０が直線状に切断されているが、これに限定されるものではなく、例えば、包装材１，１０が波形状に切断されるように構成されてもよい。
【００４４】
また、上記実施形態では、一対の分離予定線Ｌ１，Ｌ１上で包装材１，１０が切断されるように構成されているが、これに限定されるものではなく、例えば、第一切込線２ａの一方の端部を起点に一の分離予定線Ｌ１上で包装材１，１０が切断されるように構成されてもよい。斯かる場合には、第一切込線２ａと分離予定線Ｌ１とで囲まれた三角形状の領域が他の領域から分離して分離片を構成する。
【符号の説明】
【００４５】
１，１０…包装材、１ａ…第一摘み片、１ｂ…第一分離片、１ｃ…開口部、１ｄ…第二摘み片、１ｅ…第二分離片、１ｆ…開口部、２…本体シート、２ａ…第一切込線、２ｂ…切込線第一部位、２ｃ…切込線第二部位、２ｄ…第二切込線、２ｅ…第三切込線、３…カットテープ、４…カバーシート、Ａ１…第一切断領域、Ａ２…第二切断領域、Ａ３…分離予定領域、Ｌ１…分離予定線、Ｘ…物品、１Ｘ，１０Ｘ…包装体
【図１】
2015202900.tif 000003
【図２】
2015202900.tif 000004
【図３】
2015202900.tif 000005
【図４】
2015202900.tif 000006
【図５】
2015202900.tif 000007
【図６】
2015202900.tif 000008
【図７】
2015202900.tif 000009
【図８】
2015202900.tif 000010
【図９】
2015202900.tif 000011